(57)【要約】  ＯＶＦモード時に表示部の被写体表示エリアからから漏れ出た光の写り込みを防止する撮影装置及びその制御方法を提供する。  ファインダ装置（１６）は、ＯＶＦモードと、ＥＶＦモードとの切り替えが可能である。ＥＶＦＬＣＤ（４２）は、被写体表示エリア（４６）と、情報表示エリア（４７）とが設定される。ＯＶＦモードでは、ＥＶＦＬＣＤ（４２）の被写体表示エリア（４６）は非表示とされ、情報表示エリア（４７）には情報画像が表示される。ＯＶＦシャッタ（４４）は開状態とされる。ＥＶＦシャッタ（４５）は、被写体表示エリア（４６）に対応する第１エリア（５２）の光透過率が低透過率とされ、情報表示エリア（４７）に対応する第２エリア（５３）の光透過率が高透過率とされる。低透過率とされた第１エリア（５２）は、被写体表示エリア（４６）から漏れ出た光を遮光する。
2015156187.tif 000002
【特許請求の範囲】
【請求項１】
被写体の光学像を撮像して画像データを生成する撮像素子と、
前記光学像が入射するファインダ窓と、
被写体表示エリアと情報表示エリアとが設定され、前記被写体表示エリアに前記画像データに基づく被写体画像を表示し、前記情報表示エリアに撮影情報に基づく情報画像を表示する表示部と、
前記ファインダ窓に入射した前記光学像が伝搬する第１光路と、前記表示部に表示された表示画像が伝搬する第２光路とを統合して第３光路とする光路統合部と、
前記第３光路上に配置されたファインダ接眼部と、
前記第１光路上に設けられた光学シャッタと、
前記第２光路上に設けられ、前記被写体表示エリアに対応する光透過率が少なくとも低透過率と高透過率との間で可変である調光部と、
前記光学シャッタを開いた状態で、前記情報画像を表示し、かつ前記被写体画像を非表示として、前記光学像及び前記情報画像を前記ファインダ接眼部に導く光学ビューファインダモードと、前記光学シャッタを閉じた状態で、前記情報画像及び前記被写体画像を表示して、前記情報画像及び前記被写体画像を前記ファインダ接眼部に導く電子ビューファインダモードとを実行可能とし、前記光学ビューファインダモードの場合に、前記調光部の前記被写体表示エリアに対応する前記光透過率を前記低透過率とする制御部と、
を備える撮影装置。
【請求項２】
前記表示部には、前記被写体表示エリアと前記情報表示エリアとの他に、前記被写体表示エリアより小さいサブ表示エリアが設定され、
前記制御部は、前記光学シャッタを開いた状態で、前記情報表示エリアに前記情報画像を表示し、前記被写体表示エリアに前記被写体画像を表示せず、前記サブ表示エリアに前記被写体画像を表示し、前記光学像、前記情報画像、及び前記被写体画像を前記ファインダ接眼部に導くハイブリッドモードを実行可能とし、前記ハイブリッドモードの場合に、前記調光部の前記被写体表示エリアに対応する前記光透過率を前記低透過率とする請求項１に記載の撮影装置。
【請求項３】
前記制御部は、前記光学ビューファインダモードの場合に、撮影範囲を示す第１枠と、フォーカス位置を示す第２枠とを前記被写体表示エリアに表示させることを可能とし、前記第１枠と前記第２枠とのうちの少なくとも１つが表示された場合に、前記被写体表示エリアに対応する前記光透過率を前記高透過率とする請求項１または２に記載の撮影装置。
【請求項４】
前記画像データに基づいて前記被写体の輝度を検出する輝度検出部を備え、
前記調光部は、前記光透過率が前記低透過率と前記高透過率との間で段階的に可変であり、
前記制御部は、前記光学ビューファインダモードの場合に、前記被写体表示エリアに対応する前記光透過率を、前記輝度に応じた値に設定する請求項３に記載の撮影装置。
【請求項５】
前記画像データに基づいて前記被写体の輝度を検出する輝度検出部を備え、
前記制御部は、前記光学ビューファインダモードの場合に、前記輝度が一定値以上である場合に、前記被写体表示エリアに対応する前記光透過率を前記高透過率とする請求項１に記載の撮影装置。
【請求項６】
環境の照度を検出する照度検出部を備え、
前記制御部は、前記光学ビューファインダモードの場合に、前記照度が一定値以上である場合に、前記被写体表示エリアに対応する前記光透過率を前記高透過率とする請求項１に記載の撮影装置。
【請求項７】
前記情報表示エリアは、前記被写体表示エリアの周囲を囲う枠状に設定される請求項１から６のうちいずれか１項に記載の撮影装置。
【請求項８】
前記情報表示エリアは、前記被写体表示エリアの周囲を囲う枠状に設定され、前記サブ表示エリアは、前記被写体表示エリアとは中心がずれた位置に設定されている請求項２に記載の撮影装置。
【請求項９】
前記光路統合部は、ハーフミラーである請求項１から８のうちいずれか１項に記載の撮影装置。
【請求項１０】
前記調光部は、液晶シャッタである請求項１から９のうちいずれか１項に記載の撮影装置。
【請求項１１】
前記撮影情報は、シャッタ速度、絞り値、ＩＳＯ感度のうちの少なくともいずれか１つを含む請求項１から１０のうちいずれか１項に記載の撮影装置。
【請求項１２】
被写体の光学像を撮像して画像データを生成する撮像素子と、
前記光学像が入射するファインダ窓と、
被写体表示エリアと情報表示エリアとが設定され、前記被写体表示エリアに前記画像データに基づく被写体画像を表示し、前記情報表示エリアに撮影情報に基づく情報画像を表示する表示部と、
前記ファインダ窓に入射した前記光学像が伝搬する第１光路と、前記表示部に表示された表示画像が伝搬する第２光路とを統合して第３光路とする光路統合部と、
前記第３光路上に配置されたファインダ接眼部と、
前記第１光路上に設けられた光学シャッタと、
前記第２光路上に設けられ、前記被写体表示エリアに対応する光透過率が少なくとも低透過率と高透過率との間で可変である調光部と、
を備える撮影装置の制御方法において、
前記光学シャッタ及び前記表示部を制御して、前記光学シャッタを開いた状態で、前記情報画像を表示し、かつ前記被写体画像を非表示として、前記光学像及び前記情報画像を前記ファインダ接眼部に導く光学ビューファインダモードと、前記光学シャッタを閉じた状態で、前記情報画像及び前記被写体画像を表示して、前記情報画像及び前記被写体画像を前記ファインダ接眼部に導く電子ビューファインダモードとを選択的に実行させ、前記光学ビューファインダモードの場合に、前記調光部の前記被写体表示エリアに対応する前記光透過率を前記低透過率とする撮影装置の制御方法。
【発明の詳細な説明】
【技術分野】
【０００１】
本発明は、ハイブリッドファインダを有する撮影装置及びその制御方法に関する。
【背景技術】
【０００２】
近年、光学ビューファインダ（以下、ＯＶＦという）モードと電子ビューファインダ（以下、ＥＶＦという）モードを有し、両者を切り替え可能なハイブリッドファインダを有するデジタルカメラ等の撮影装置が知られている（特許文献１参照）。【０００３】
ハイブリッドファインダは、表示部と、ファインダ窓と、ハーフミラー（光路統合部）とを備えている。表示部は、被写体の光学像を撮像素子で撮像して得られた被写体画像を表示する。ファインダ窓は、被写体の光学像が入射する。ハーフミラーは、ファインダ窓に入射した光学像を一部透過させてファインダ接眼部に導き、表示部が表示した表示画像を一部反射させてファインダ接眼部に導く。また、ハイブリッドファインダは、ファインダ窓に入射する光学像を遮蔽するシャッタ（以下、ＯＶＦシャッタという）を有している。ＯＶＦモードでは、ＯＶＦシャッタを開状態とし、表示部を非表示とさせることで、光学像をファインダ接眼部に導く。ＥＶＦモードでは、ＯＶＦシャッタを閉状態とし、表示部を表示とさせることで、表示画像をファインダ接眼部に導く。【０００４】
表示部は、被写体表示エリアと、情報表示エリアとを有している。被写体表示エリアは、被写体画像が表示される。情報表示エリアは、撮影条件（シャッタ速度、絞り値、ＩＳＯ感度等）の情報画像が表示される。被写体表示エリアは表示画像の中央部に設定される。情報表示エリアは被写体表示エリアの周囲を囲うように枠状に設定される。ハイブリッドファインダは、ＥＶＦモードでは、被写体表示エリアと情報表示エリアとの両方に画像を表示させる。一方、ＯＶＦモードでは、被写体表示エリアの被写体画像を非表示とし、情報表示エリアの情報画像を表示させて、光路統合部を介して光学像と情報画像とをファインダ接眼部に導くことにより、光学像に情報画像が重ね合わせて表示される。【０００５】
表示部としては、液晶パネルと、液晶パネルに光を照射するバックライトとを有する液晶表示装置と、有機ＥＬ（Electro Luminescence）等の自発光表示装置とが挙げられている。
【先行技術文献】
【特許文献】
【０００６】
【特許文献１】特開２０１２−０６５２９４号公報
【発明の概要】
【発明が解決しようとする課題】
【０００７】
ハイブリッドファインダでは、表示部に表示された表示画像を光路統合部（ハーフミラー）によって一部反射させてファインダ接眼部に導くので、表示画像は一部透過されて光量が低下する。このため、表示部としては、表示画像の光量が大きいものが好ましく、光量が小さい自発光表示装置よりも、光量が大きい液晶表示装置を用いることが好ましい。【０００８】
液晶表示装置では、ＯＶＦモード時に、情報表示エリアに対応する液晶パネルの光透過率を高透過率として情報画像を表示し、被写体表示エリアに対応する液晶パネルの光透過率を低透過率としてバックライトの光を遮光することによって被写体画像を非表示としている。しかしながら、液晶パネルの光透過率を低透過率としても、バックライトの光は完全には遮光されず、被写体表示エリアからバックライトの光が僅かながら漏れ出る。この被写体表示エリアから漏れ出た光は、光路統合部を介してファインダ接眼部に導かれ、光学像に写り込んでしまう。【０００９】
本発明は、ＯＶＦモード時に表示部の被写体表示エリアからから漏れ出た光の写り込みを防止する撮影装置及びその制御方法を提供することを目的とする。
【課題を解決するための手段】
【００１０】
上記目的を達成するため、本発明の撮影装置は、撮像素子と、ファインダ窓と、表示部と、光路統合部と、ファインダ接眼部と、光学シャッタと、調光部と、制御部と、を備える。撮像素子は、被写体の光学像を撮像して画像データを生成する。ファインダ窓には、光学像が入射する、表示部には、被写体表示エリアと情報表示エリアとが設定される。表示部は、被写体表示エリアに画像データに基づく被写体画像を表示し、情報表示エリアに撮影情報に基づく情報画像を表示する。光路統合部は、ファインダ窓に入射した光学像が伝搬する第１光路と、表示部に表示された表示画像が伝搬する第２光路とを統合して第３光路とする。ファインダ接眼部は、第３光路上に配置されている。光学シャッタは、第１光路上に設けられている。調光部は、第２光路上に設けられている。調光部は、被写体表示エリアに対応する光透過率が少なくとも低透過率と高透過率との間で可変である。制御部は、光学ビューファインダモードと、電子ビューファインダモードとを実行可能とする。光学ビューファインダモードでは、光学シャッタが開いた状態で、情報画像が表示され、かつ被写体画像が非表示とされて、光学像及び情報画像がファインダ接眼部に導かれる。電子ビューファインダモードでは、光学シャッタが閉じた状態で、情報画像及び被写体画像が表示されて、情報画像及び被写体画像がファインダ接眼部に導かれる。制御部は、光学ビューファインダモードの場合に、調光部の被写体表示エリアに対応する光透過率を低透過率とする。【００１１】
表示部には、被写体表示エリアと情報表示エリアとの他に、サブ表示エリアが設定されている。サブ表示エリアは、被写体表示エリアより小さい。制御部は、ハイブリッドモードを実行可能とする。ハイブリッドモードでは、光学シャッタが開いた状態で、情報表示エリアに情報画像が表示され、被写体表示エリアに被写体画像が表示されず、サブ表示エリアに被写体画像が表示され、光学像、情報画像、及び被写体画像がファインダ接眼部に導かれる。制御部は、ハイブリッドモードの場合に、調光部の被写体表示エリアに対応する光透過率を低透過率とすることが好ましい。【００１２】
制御部は、光学ビューファインダモードの場合に、撮影範囲を示す第１枠と、フォーカス位置を示す第２枠とを被写体表示エリアに表示させることを可能とする。制御部は、光学ビューファインダモードの場合に、第１枠と第２枠とのうちの少なくとも１つが表示された場合に、被写体表示エリアに対応する光透過率を高透過率とすることが好ましい。【００１３】
画像データに基づいて被写体の輝度を検出する輝度検出部を備えている。調光部は、光透過率が低透過率と高透過率との間で段階的に可変である。制御部は、光学ビューファインダモードの場合に、被写体表示エリアに対応する光透過率を、輝度に応じた値に設定することが好ましい。【００１４】
画像データに基づいて被写体の輝度を検出する輝度検出部を備えている。制御部は、光学ビューファインダモードの場合に、輝度が一定値以上である場合に、被写体表示エリアに対応する光透過率を高透過率とすることが好ましい。【００１５】
環境の照度を検出する照度検出部を備えている。制御部は、光学ビューファインダモードの場合に、照度が一定値以上である場合に、被写体表示エリアに対応する光透過率を高透過率とすることが好ましい。【００１６】
情報表示エリアは、被写体表示エリアの周囲を囲う枠状に設定されることが好ましい。【００１７】
情報表示エリアは、被写体表示エリアの周囲を囲う枠状に設定されることが好ましい。サブ表示エリアは、被写体表示エリアとは中心がずれた位置に設定されることが好ましい。【００１８】
光路統合部は、ハーフミラーであることが好ましい。【００１９】
調光部は、液晶シャッタであることが好ましい。【００２０】
撮影情報は、シャッタ速度、絞り値、ＩＳＯ感度のうちの少なくともいずれか１つを含むことが好ましい。【００２１】
本発明の撮影装置の制御方法は、被写体の光学像を撮像して画像データを生成する撮像素子と、光学像が入射するファインダ窓と、被写体表示エリアと情報表示エリアとが設定され、被写体表示エリアに画像データに基づく被写体画像を表示し、情報表示エリアに撮影情報に基づく情報画像を表示する表示部と、ファインダ窓に入射した光学像が伝搬する第１光路と、表示部に表示された表示画像が伝搬する第２光路とを統合して第３光路とする光路統合部と、第３光路上に配置されたファインダ接眼部と、第１光路上に設けられた光学シャッタと、第２光路上に設けられ、被写体表示エリアに対応する光透過率が少なくとも低透過率と高透過率との間で可変である調光部と、を備える撮影装置の制御方法において、光学シャッタ及び表示部を制御して、光学シャッタを開いた状態で、情報画像を表示し、かつ被写体画像を非表示として、光学像及び情報画像をファインダ接眼部に導く光学ビューファインダモードと、光学シャッタを閉じた状態で、情報画像及び被写体画像を表示して、情報画像及び被写体画像をファインダ接眼部に導く電子ビューファインダモードとを選択的に実行させ、光学ビューファインダモードの場合に、調光部の被写体表示エリアに対応する光透過率を低透過率とする。
【発明の効果】
【００２２】
本発明によれば、表示部に表示された表示画像が伝搬する光路上に、被写体表示エリアに対応する光透過率が少なくとも低透過率と高透過率との間で可変である調光部を設け、ＯＶＦモード時に情報画像を表示する場合に、調光部の被写体表示エリアに対応する光透過率を低透過率とするので、ＯＶＦモード時に表示部の被写体表示エリアから漏れ出た光の写り込みを防止することができる。
【図面の簡単な説明】
【００２３】
【図１】デジタルカメラの正面図である。
【図２】デジタルカメラの背面側斜視図である。
【図３】デジタルカメラの電気的構成を示すブロック図である。
【図４】ＥＶＦＬＣＤの被写体表示エリア及び情報表示エリアを示す図である。
【図５】ＥＶＦシャッタの第１エリア及び第２エリアを示す図である。
【図６】ＥＶＦＬＣＤの構成を示す斜視図である。
【図７】光学像と情報画像とを重ね合わせたＯＶＦ画像を示す図である。
【図８】デジタルカメラの作用を説明するフローチャートである。
【図９】シャッタの設定処理を説明するフローチャートである。
【図１０】画角枠及びＡＦ枠を示す図である。
【図１１】画角枠及びＡＦ枠を表示する際のシャッタの設定処理を説明するフローチャートである。
【図１２】画角枠及びＡＦ枠を表示したＯＶＦ画像を示す図である。
【図１３】被写体輝度値に基づいたシャッタの設定処理を説明するフローチャートである。
【図１４】第４実施形態のデジタルカメラの電気的構成を示すブロック図である。
【図１５】照度値に基づいたシャッタの設定処理を説明するフローチャートである
【図１６】被写体輝度値に応じてＥＶＦシャッタの光透過率を段階的に設定する例を示す図である。
【図１７】被写体輝度値に応じてＥＶＦシャッタの光透過率を段階的に設定する別の例を示す図である。
【図１８】被写体表示エリアと情報表示エリアとサブ表示エリアとを示す図である。
【図１９】第１〜第３エリアを示す図である。
【図２０】光学像と情報画像と被写体画像とを重ね合わせたハイブリッド画像を示す図である。
【図２１】ハイブリッドモード時のシャッタの設定処理を説明するフローチャートである
【発明を実施するための形態】
【００２４】
［第１実施形態］
図１及び図２において、デジタルカメラ１１は、カメラ本体１２、レンズ鏡筒１３、操作部１４、背面表示部１５、及びファインダ装置１６を備える。レンズ鏡筒１３は、カメラ本体１２の前面に設けられており、撮影レンズ１７を保持している。ファインダ装置１６は、光学ビューファインダ（ＯＶＦ：Optical View Finder）モードと、電子ビューファインダ（ＥＶＦ：Electronic View Finder）モードとの切り替えが可能なハイブリッド型である。
【００２５】
操作部１４は、電源ボタン１８、レリーズボタン１９、ファインダ切替レバー２１、モード選択ボタン２２、ズームボタン２３等を有している。電源ボタン１８は、デジタルカメラ１１の電源（図示せず）をオン／オフする際に操作される。レリーズボタン１９は、撮影を実行する際に操作される。ファインダ切替レバー２１は、ファインダ装置１６を、ＯＶＦモードとＥＶＦモードとの間で切り替える際に操作される。モード選択ボタン２２は、デジタルカメラ１１の動作モードを切り替える際に操作される。ズームボタン２３は、ズーミングを行う際に操作される。
【００２６】
レリーズボタン１９は、Ｓ１スイッチとＳ２スイッチとで構成された２段ストローク式のスイッチ（図示せず）を有する。デジタルカメラ１１は、レリーズボタン１９が押下（半押し）され、Ｓ１スイッチがオン状態となると、オートフォーカス（ＡＦ；Auto Focus）動作等の撮影準備動作を行う。この状態からさらにレリーズボタン１９が押下（全押し）され、Ｓ２スイッチがオン状態となると、デジタルカメラ１１は撮影動作を行う。
【００２７】
デジタルカメラ１１の動作モードには、静止画撮影モード、動画撮影モード、再生モード等がある。静止画撮影モードでは、静止画像が取得される。動画撮影モードでは、動画像が取得される。再生モードでは、取得した各画像が背面表示部１５に再生表示される。背面表示部１５は、カメラ本体１２の背面に設けられており、各種撮影モードで取得された画像や、各種設定を行うためのメニュー画面を表示する。
【００２８】
ファインダ装置１６は、被写体の光学像を取り込むファインダ窓１６ａと、ユーザの眼が接眼されるファインダ接眼部１６ｂとを有している。ファインダ窓１６ａは、カメラ本体１２の前面側に設けられている。ファインダ接眼部１６ｂは、カメラ本体１２の背面側に設けられている。
【００２９】
また、カメラ本体１２の底部には、後述する記録メディア４０（図３参照）を装着するためのスロット（図示せず）が設けられている。
【００３０】
図３において、レンズ鏡筒１３内には、撮影レンズ１７の光軸ＬＡに沿って、絞り３０、固体撮像素子３１が設けられている。絞り３０は、主制御部３２によって駆動制御され、固体撮像素子３１に入射させる光量を調整する。固体撮像素子３１には、撮影レンズ１７を通過し、絞り３０により光量が調整された被写体の光学像が入射する。
【００３１】
撮影レンズ１７は、ズームレンズ１７ａ、フォーカスレンズ１７ｂを含む。撮影レンズ１７には、レンズ駆動部２４が接続されている。レンズ駆動部２４は、主制御部３２の制御の下、ズームレンズ１７ａ、フォーカスレンズ１７ｂを光軸方向に移動させる。ズームレンズ１７ａの駆動によりズーミングが行われ、フォーカスレンズ１７ｂの駆動によりＡＦ動作が行われる。
【００３２】
固体撮像素子３１は、例えば、ＲＧＢ方式のカラーフィルタを有する単板カラー撮像方式のＣＭＯＳ（Complementary Metal？Oxide？Semiconductor）型イメージセンサであり、２次元マトリクス状に配列された複数の画素（図示せず）により構成された受光面を有している。各画素は、光電変換素子を含んでおり、受光面に結像された光学像を光電変換により撮像して撮像信号を生成する。また、固体撮像素子３１は、電子シャッタ機能を有しており、シャッタ速度（電荷蓄積時間）が調整可能である。
【００３３】
固体撮像素子３１は、ノイズ除去回路、オートゲインコントローラ、Ａ／Ｄ（Analog-to-Digital）変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して固体撮像素子３１から出力する。固体撮像素子３１の出力信号は、画素ごとに１つの色信号を有する画像データ（いわゆるＲＡＷデータ）である。
【００３４】
固体撮像素子３１は、モード選択ボタン２２により選択された動作モードに応じて、主制御部３２により駆動制御される。
【００３５】
固体撮像素子３１及び主制御部３２は、バス３３に接続されている。この他、バス３３には、メモリ制御部３４、デジタル信号処理部３５、メディア制御部３６、第１表示制御部３７、第２表示制御部３８が接続されている。
【００３６】
メモリ制御部３４には、ＳＤＲＡＭ（Synchronous Dynamic Random Access Memory）等の一時記憶用のメモリ３９が接続されている。メモリ制御部３４は、固体撮像素子３１から出力された画像データをメモリ３９に入力して記憶させる。また、メモリ制御部３４は、メモリ３９に記憶された画像データを、デジタル信号処理部３５に出力する。
【００３７】
デジタル信号処理部３５は、メモリ３９から入力された画像データ（ＲＡＷデータ）に対して、欠陥補正処理、デモザイク処理、ガンマ補正処理、ホワイトバランス補正処理、ＹＣ変換処理等を行い、輝度信号Ｙと色差信号ＣとからなるＹＣ画像データを生成する。
【００３８】
メディア制御部３６は、記録メディア４０への画像ファイルの記録及び読み出しを制御する。記録メディア４０は、例えば、フラッシュメモリ等を内蔵したメモリカードである。
【００３９】
静止画撮影モードの場合には、画像ファイルとして、例えば、ＹＣ画像データをＪＰＥＧ（Joint Photographic Experts Group）規格等で圧縮した圧縮画像データが記録メディア４０に記録される。また、動画撮影モードの場合には、動画撮影により得られる複数フレームのＹＣ画像データをＭＰＥＧ（Moving Picture Experts Group）−４規格等で圧縮した動画データが記録メディア４０に記録される。これらの圧縮処理は、デジタル信号処理部３５で行われる。なお、動画撮影モードの場合には、画像に加えて音声も取得して記録されるが、本実施形態では、音声の取得及び記録に関する構成については、説明を省略する。
【００４０】
第１表示制御部３７は、前述の背面表示部１５への画像表示を制御する。具体的には、第１表示制御部３７は、デジタル信号処理部３５により生成されたＹＣ画像データに基づいて、ＮＴＳＣ（National Television System Committee）規格等に準拠した映像信号を生成して背面表示部１５に出力する。
【００４１】
第２表示制御部３８は、第１表示制御部３７と同様にＹＣ画像データに基づいた映像信号を生成し、後述する液晶表示装置（ＥＶＦＬＣＤ）４２に出力する。
【００４２】
ファインダ装置１６には、ＥＶＦＬＣＤ（表示部）４２と、プリズム４３と、ＯＶＦシャッタ（光学シャッタ）４４と、ＥＶＦシャッタ（調光部）４５とが設けられている。
【００４３】
図４に示すように、ＥＶＦＬＣＤ４２には、被写体画像が表示される被写体表示エリア４６と、情報画像が表示される情報表示エリア４７とが設定される。情報表示エリア４７は、被写体表示エリア４６の周囲を囲うように枠状に設定される。被写体画像は、デジタル信号処理部３５により生成されるＹＣ画像データの表示画像である。情報画像は、主制御部３２により生成される情報画像データの表示画像である。情報画像データは、撮影条件、撮影可能枚数、撮影モード等の撮影情報に基づいて生成される。
【００４４】
撮影条件には、シャッタ速度、絞り値、ＩＳＯ（International Organization for Standardization）感度等が含まれる。撮影モードには、プログラム撮影モードやマニュアル撮影モード等が含まれる。プログラム撮影モードでは、固体撮像素子３１により光学像を撮像して得られる画像データに基づいて、シャッタ速度や絞り値が自動的に設定される。マニュアル撮影モードでは、ユーザが操作部１４を操作してシャッタ速度や絞り値を手動で設定可能である。撮影条件や撮影モードは、操作部１４の操作によって設定可能である。
【００４５】
図４に示す情報表示エリア４７には、撮影情報の一例として、シャッタ速度を示す「１／２０００」、絞り値を示す「Ｆ５．６」、ＩＳＯ感度を示す「ＩＳＯ２００」、撮影モードを示す「Ｐ」、撮影可能枚数を示す「１９」が表示されている。
【００４６】
プリズム４３は、光路統合部としてのハーフミラー４８が内部に構成されている。ハーフミラー４８は、第１光路４９と、第２光路５０とに対して４５度の角度をなすように配置されている。第１光路４９には、ファインダ窓１６ａに入射した被写体の光学像が伝搬する。第２光路５０には、ＥＶＦＬＣＤ４２に表示された表示画像が伝搬する。このハーフミラー４８は、第１光路４９と第２光路５０とを統合して第３光路５１とする。この第３光路５１上にファインダ接眼部１６ｂが配置されている。
【００４７】
ハーフミラー４８は、第１光路４９上を伝搬する光学像を一部透過させて第３光路５１に導き、第２光路５０上を伝搬する表示画像を一部反射させて第３光路５１に導く。これにより、光学像及び表示画像がファインダ接眼部１６ｂに導かれる。
【００４８】
ＯＶＦシャッタ４４は、液晶シャッタであり、第１光路４９上に配置されている。ＯＶＦシャッタ４４は、主制御部３２により制御され、ファインダ窓１６ａから入射する光学像を遮光してプリズム４３に入射させない「閉状態」と、光学像を透過させてプリズム４３に入射させる「開状態」との間で切り替えられる。ＯＶＦシャッタ４４は、ＯＶＦモードの場合に「開状態」とされ、ＥＶＦモードの場合に「閉状態」とされる。
【００４９】
ＥＶＦシャッタ４５は、液晶シャッタであり、第２光路５０上に配置されている。ＥＶＦシャッタ４５に光が入射する入射面は、ＥＶＦＬＣＤ４２が光を射出する射出面と平行である。ＥＶＦシャッタ４５は、主制御部３２により駆動制御され、光透過率が変更される。この光透過率は、ＥＶＦシャッタ４５の駆動時には低透過率となり、非駆動時に高透過率となる。
【００５０】
図５に示すように、ＥＶＦシャッタ４５には、被写体表示エリア４６に対応する第１エリア５２と、情報表示エリア４７に対応する第２エリア５３とが設定される。第１エリア５２及び第２エリア５３は、主制御部３２によって低透過率（例えば、０％）と高透過率（例えば、１００％）との間で光透過率が制御される。
【００５１】
主制御部３２は、被写体表示エリア４６及び情報表示エリア４７と、第１エリア５２及び第２エリア５３との対応関係を把握している。ＥＶＦシャッタ４５は、ＥＶＦモードの場合には、第１エリア５２及び第２エリア５３の光透過率が高透過率とされる。一方、ＥＶＦシャッタ４５は、ＯＶＦモードの場合には、第１エリア５２の光透過率が低透過率とされ、第２エリア５３の光透過率が高透過率とされる。
【００５２】
図６に示すように、ＥＶＦＬＣＤ４２は、バックライト５５と、液晶パネル５６とを有する。バックライト５５は、平板矩形状の導光体５７と、導光体５７の対向する２つの側部に沿って配置された複数の光源５８ａからなる光源群５８とで構成されたエッジライト方式である。各光源５８ａは、発光ダイオードにより構成されている。
【００５３】
導光体５７は、光透過率の高い透明樹脂（メタクリル樹脂、アクリル樹脂、ポリカーボネート樹脂等）で形成されている。導光体５７の光源群５８が対向する側面は、光源５８ａから射出された光が入射する入射端面５７ａである。導光体５７の上面は、光を射出する射出面５７ｂである。この射出面５７ｂは、液晶パネル５６に対向しており、光を液晶パネル５６に面状に照射する。
【００５４】
液晶パネル５６は、複数の液晶セルを有する透過型液晶パネルであり、第２表示制御部３８から入力される映像信号に基づいて、各液晶セルの光透過率を制御する。このとき、バックライト５５から射出され、液晶パネル５６を透過した光により画像表示が行われる。
【００５５】
第２表示制御部３８は、ＥＶＦモードとＯＶＦモードとで異なる映像信号を生成する。ＥＶＦモードでは、第２表示制御部３８は、ＹＣ画像データ及び情報画像データに基づいて映像信号を生成する。具体的には、第２表示制御部３８は、ＥＶＦＬＣＤ４２の被写体表示エリア４６及び情報表示エリア４７のエリア情報を把握しており、被写体表示エリア４６に被写体画像を表示させ、情報表示エリア４７に情報画像を表示させる映像信号を生成する。この映像信号の情報表示エリア４７に対応する部分の信号値は、文字等の撮影情報を示す部分が最高階調（白色）レベルであり、その他の部分が最低階調（黒色）レベルである。
【００５６】
一方、ＯＶＦモードでは、第２表示制御部３８は、情報画像データのみに基づいて映像信号を生成する。具体的には、第２表示制御部３８は、被写体表示エリア４６を非表示とし、情報表示エリア４７に情報画像を表示させる映像信号を生成する。この映像信号の被写体表示エリア４６に対応する部分の信号値は、黒色レベルである。また、この映像信号の情報表示エリア４７に対応する部分の信号値は、前述のＥＶＦモードと同様に、撮影情報を示す部分が白色レベルであり、その他の部分が黒色レベルである。
【００５７】
ＥＶＦＬＣＤ４２は、入力された映像信号に基づいて、液晶セルの光透過率が変更される。具体的には、ＥＶＦＬＣＤ４２は、液晶セルの光透過率は、映像信号の各信号値に応じた透過率に設定され、特に、信号値が黒色レベルの場合には最低透過率とされ、信号値が白色レベルの場合には最高透過率とされる。
【００５８】
このように、ＥＶＦモードでは、ＥＶＦＬＣＤ４２の被写体表示エリア４６には被写体画像が表示され、情報表示エリア４７には情報画像が表示される。このとき、ＥＶＦシャッタ４５の第１エリア５２及び第２エリア５３が高透過率に設定されるので、被写体画像及び情報画像がＥＶＦシャッタ４５を透過し、第２光路５０上を伝搬してハーフミラー４８によって反射されることにより、第３光路５１に導かれる。ＯＶＦシャッタ４４は「閉状態」とされているため、光学像はハーフミラー４８には入射しない。この結果、図４に示す被写体画像及び情報画像がファインダ接眼部１６ｂに導かれる。
【００５９】
一方、ＯＶＦモードでは、被写体表示エリア４６には被写体画像が表示されず黒色であり、情報表示エリア４７には情報画像が表示される。このとき、ＥＶＦシャッタ４５の第１エリア５２が低透過率に設定され、第２エリア５３が高透過率に設定されるので、情報画像のみがＥＶＦシャッタ４５を透過し、第２光路５０上を伝搬してハーフミラー４８によって反射されることにより、第３光路５１に導かれる。ＯＶＦシャッタ４４は「開状態」とされているため、光学像がＯＶＦシャッタ４４を透過し、第１光路４９上を伝搬してハーフミラー４８を透過することにより、第３光路５１に導かれる。この結果、図７に示すように、光学像Ｐ１と情報画像Ｐ２とが重ね合わせられたＯＶＦ画像Ｐ３がファインダ接眼部１６ｂに導かれる。
【００６０】
ＯＶＦモードでは、被写体表示エリア４６を非表示としているが、バックライト５５から射出された光が液晶パネル５６で完全に遮光されず、被写体表示エリア４６から僅かながら光が漏れ出る。本発明では、被写体表示エリア４６から漏れ出た光は、ＥＶＦシャッタ４５の低透過率とされた第１エリア５２により遮光されるので、ＯＶＦ画像Ｐ３への写り込みが防止される。
【００６１】
次に、デジタルカメラ１１の作用について説明する。まず、ユーザにより、電源ボタン１８が操作されて電源がオン状態になると、デジタルカメラ１１の各部に電源電圧が供給される。また、操作部１４が操作されて、撮影モードとして、例えばプログラム撮影モードが選択されると、シャッタ速度や絞り値が自動設定される。さらに、モード選択ボタン２２が操作されて静止画撮影モードが選択されると、ファインダ装置１６が動作を開始する。ファインダ装置１６が動作を開始すると、図８に示すように、ファインダ切替レバー２１の設定に基づいて、ＯＶＦシャッタ４４及びＥＶＦシャッタ４５の設定処理が行われる（Ｓ１０）。
【００６２】
具体的には、図９に示すように、主制御部３２により、ファインダ切替レバー２１の設定がＯＶＦモードとＥＶＦモードとのいずれであるかが判定される（Ｓ１５）。ＯＶＦモードであると判定された場合には、ＯＶＦシャッタ４４が開状態とされる（Ｓ１６）。ＥＶＦシャッタ４５の第１エリア５２は低透過率とされ、第２エリア５３は高透過率とされる（Ｓ１７）。
【００６３】
この設定処理の後、ＥＶＦＬＣＤ４２の画像表示が行われる（Ｓ１１）。具体的には、ＯＶＦモードでは、被写体表示エリア４６は非表示とされ、情報表示エリア４７には情報画像が表示される。この結果、光学像と情報画像とがファインダ接眼部１６ｂに導かれ、ＯＶＦ画像が表示される。ユーザは、ファインダ接眼部１６ｂに接眼することにより、被写体の光学像を観察しながら撮影条件を確認することができる。
【００６４】
そして、ファインダ切替レバー２１の切り替えが行われたか否かが判定される（Ｓ１２）。切り替えが行われなかったと判定された場合には、撮影操作が行われたか否かが判定される（Ｓ１３）。撮影操作とは、レリーズボタン１９が全押しされることである。撮影操作が行われたと判定された場合には、上記撮影条件のもとで撮影が行われる（Ｓ１４）。撮影操作が行われなかったと判定された場合には、ステップＳ１１に戻る。
【００６５】
一方、ステップＳ１２でＥＶＦモードに切り替えが行われたと判定された場合には、ステップＳ１０に戻る。ステップＳ１０の設定処理では、ＯＶＦシャッタ４４が閉状態とされ（Ｓ１８）、ＥＶＦシャッタ４５の第１エリア５２及び第２エリア５３は高透過率とされる（Ｓ１９）。
【００６６】
この設定処理の後、ＥＶＦＬＣＤ４２の被写体表示エリア４６には被写体画像が表示され、情報表示エリア４７には情報画像が表示される（Ｓ１１）。この結果、被写体画像及び情報画像がファインダ接眼部１６ｂに導かれる。ユーザは、ファインダ接眼部１６ｂに接眼することにより、撮影により実際に得られる被写体画像を確認することができる。その後のステップＳ１２〜ステップＳ１４は、上記と同様である。
【００６７】
［第２実施形態］
第１実施形態では、ＯＶＦモード時に、被写体表示エリア４６を非表示としている。第２実施形態では、ＯＶＦモード時に、図１０に示すように、被写体表示エリア４６に画角枠（第１枠）６０やＡＦ枠（第２枠）６１を表示可能とする。この画角枠６０やＡＦ枠６１は、操作部１４の操作により、表示するか否かの設定を行うことが可能である。操作部１４の操作により、画角枠６０とＡＦ枠６１とのうち一方のみを表示させることも可能である。
【００６８】
画角枠６０は、ＯＶＦ画像中で、固体撮像素子３１により撮像される範囲（撮影範囲）を示す。この撮影範囲の大きさは、ズームボタン２３の操作によるズーミングに伴って変化する。
【００６９】
ＡＦ枠６１は、固体撮像素子３１により生成された撮像信号のうち、ＡＦ動作を行う際の対象範囲（フォーカス位置）を示す。ＡＦ動作は、ＡＦ枠６１に対応する撮像信号に含まれるＡＦ評価値（高周波成分の積算値）が最大となるように、フォーカスレンズ１７ｂを駆動制御することにより行われる。ＡＦ枠６１は、例えば、撮影範囲の中心に固定される。この他、ＡＦ枠６１は、操作部１４による設定や、顔検出機能により検出された人物の顔部分等に設定される。
【００７０】
以下、被写体表示エリア４６に表示する画角枠６０やＡＦ枠６１を枠画像という。枠画像は、主制御部３２により生成される枠画像データに基づいて被写体表示エリア４６に表示される。
【００７１】
第２表示制御部３８は、枠画像データ及び情報画像データに基づいて映像信号を生成する。具体的には、第２表示制御部３８は、被写体表示エリア４６に枠画像を表示させ、情報表示エリア４７に情報画像を表示させる映像信号を生成する。この映像信号の被写体表示エリア４６に対応する部分の信号値は、画角枠６０及びＡＦ枠６１を示す部分が白色レベルで、その他の部分が黒色レベルである。
【００７２】
ＥＶＦシャッタ４５は、図１１に示すように、ＯＶＦモード時に枠画像（画角枠６０及びＡＦ枠６１のうちの少なくとも１つ）を表示する場合（Ｓ２０でＹ）、第１エリア５２及び第２エリア５３の光透過率が高透過率とされる（Ｓ１９）。
【００７３】
被写体表示エリア４６に枠画像が表示され、情報表示エリア４７に情報画像が表示されると、ＥＶＦシャッタ４５の第１エリア５２及び第２エリア５３が高透過率であるので、枠画像及び情報画像がＥＶＦシャッタ４５を透過し、第２光路５０上を伝搬してハーフミラー４８によって反射されることにより、第３光路５１に導かれる。ＯＶＦシャッタ４４は「開状態」とされているため、光学像がＯＶＦシャッタ４４を透過し、第１光路４９上を伝搬してハーフミラー４８を透過することにより、第３光路５１に導かれる。この結果、図１２に示すように、光学像Ｐ１と、情報画像Ｐ２と、枠画像Ｐ４とが重ね合わせられたＯＶＦ画像Ｐ３がファインダ接眼部１６ｂに導かれる。
【００７４】
この結果、ユーザは、このＯＶＦ画像Ｐ３中の画角枠６０により、撮影範囲を確認することができる。また、ＯＶＦ画像Ｐ３中のＡＦ枠６１を用いて、撮影したい被写体にフォーカスを合わせることができる。撮影時には、画角枠６０を撮影範囲とし、ＡＦ枠６１にフォーカスが合った画像データが得られる。
【００７５】
なお、第２実施形態では、画角枠６０及びＡＦ枠６１は、特定領域を囲うように枠状に表示しているが、特定領域を認識可能な表示形態であればよく、例えば、枠の角部分のみを表示してもよい。
【００７６】
［第３実施形態］
第１実施形態では、ＯＶＦモード時にＥＶＦシャッタ４５の第１エリア５２を低透過率として、ＥＶＦＬＣＤ４２の被写体表示エリア４６から漏れ出る光を遮光している。第３実施形態では、ＯＶＦモード時に、被写体輝度値が一定値以上である場合は、第１エリア５２を高透過率とする。
【００７７】
デジタル信号処理部３５は、画像データに基づいて画素ごとの輝度を検出し、画像データの平均輝度を求める。そして、デジタル信号処理部３５は、求めた平均輝度を被写体輝度値として、主制御部３２に出力する。このように、デジタル信号処理部３５は、輝度検出部として機能する。
【００７８】
主制御部３２は、図１３に示すように、ＯＶＦモード時に、デジタル信号処理部３５から入力された被写体輝度値が、一定値以上であるか否かを判定し（Ｓ３０）、被写体輝度値が一定値以上の場合には、ＥＶＦシャッタ４５の第１エリア５２及び第２エリア５３を高透過率とする（Ｓ１９）。
【００７９】
被写体輝度値が一定値以上である場合は、光学像の光量が大きく、被写体表示エリア４６から漏れ出る光の写り込みが少なく、ＥＶＦシャッタ４５の第１エリア５２を低透過率として遮光を行う必要性は少ない。このため、被写体輝度値が一定値以上である場合に、第１エリア５２を高透過率とすることにより、ＥＶＦシャッタ４５を非駆動とすることができ、省電力化が図られる。
【００８０】
［第４実施形態］
第３実施形態では、ＯＶＦモード時に被写体輝度値に基づいてＥＶＦシャッタ４５の光透過率を制御している。第４実施形態では、ＯＶＦモード時に環境の照度値に基づいてＥＶＦシャッタ４５の光透過率を制御する。
【００８１】
図１４に示すように、第４実施形態では、デジタルカメラ７０には、照度センサ等の照度検出部７１が設けられる。照度検出部７１は、デジタルカメラ７０の周囲の明るさを検出し、この明るさの度合いを照度値として主制御部３２に出力する。
【００８２】
主制御部３２は、図１５に示すように、ＯＶＦモード時に、照度検出部７１から入力された照度値が、一定値以上であるか否かを判定し（Ｓ４０）、照度値が一定値以上の場合には、ＥＶＦシャッタ４５の第１エリア５２及び第２エリア５３を高透過率とする（Ｓ１９）。
【００８３】
照度値が一定値以上である場合は、被写体輝度値が一定値以上である場合と同様に、被写体表示エリア４６から漏れ出る光の写り込みが少ない。このため、ＥＶＦシャッタ４５を非駆動とし、省電力化を図ることができる。
【００８４】
［第５実施形態］
第３実施形態及び第４実施形態では、ＯＶＦモード時に、被写体輝度値または照度値に基づいて、ＥＶＦシャッタ４５の第１エリア５２の光透過率を、低透過率（０％）と高透過率（１００％）との２段階に設定している。第５実施形態では、ＯＶＦモード時に、被写体輝度値または照度値に基づいて、第１エリア５２の光透過率を段階的に設定する。
【００８５】
以下、被写体輝度値に基づいて第１エリア５２の光透過率を設定する例を説明する。照度値に基づいて光透過率を設定する例については、被写体輝度値と同様であるので、説明を省略する。
【００８６】
本実施形態では、ＥＶＦシャッタ４５の第１エリア５２は、光透過率が０％から１００％の間で段階的に可変である。
【００８７】
主制御部３２は、ＯＶＦモード時に、デジタル信号処理部３５から入力される被写体輝度値Ｙの大きさに応じて、ＥＶＦシャッタ４５の第１エリア５２の光透過率Ｔを設定する。この光透過率Ｔは、例えば、図１６に示すように被写体輝度値Ｙに応じて設定する。
【００８８】
具体的には、第１閾値ＴＨ１、第２閾値ＴＨ２が設けられ、「Ｙ＜ＴＨ１」を満たす場合にＴ＝０％とし、「Ｙ＞ＴＨ２」を満たす場合にＴ＝１００％とし、「ＴＨ１≦Ｙ≦ＴＨ２」を満たす場合に、光透過率Ｔを、被写体輝度値Ｙの増加に比例して段階的に設定する。
【００８９】
以上のように、第５実施形態では、ＯＶＦモード時に、第１エリア５２の光透過率Ｔを被写体輝度値Ｙの増加に比例して段階的に変化させるので、ＥＶＦシャッタ４５を駆動させるための電力の供給を効率的に行うことができ、より省電力化を図ることができる。
【００９０】
なお、第５実施形態の構成を、第２実施形態に適用してもよい。この場合、画角枠６０やＡＦ枠６１を被写体表示エリア４６に表示させるため、例えば、図１７に示すように「Ｙ＜ＴＨ１」を満たす場合に、第１エリア５２の光透過率Ｔを所定値（例えば、２０％）とすることが好ましい。「ＴＨ１≦Ｙ≦ＴＨ２」の範囲では、被写体輝度値Ｙの増加に比例して光透過率Ｔが段階的に設定されるので、被写体輝度値Ｙの増加に比例して枠画像が明るく表示される。このため、ＯＶＦ画像中に、画角枠６０やＡＦ枠６１が最適な明るさで表示される。
【００９１】
［第６実施形態］
第１実施形態では、被写体画像を観察可能とするＥＶＦモードと、光学像を観察可能とするＯＶＦモードとの２つのモードの切り替えを行っている。第６実施形態は、ＥＶＦモードとＯＶＦモードとに加え、被写体画像及び光学像を観察可能とするハイブリッドモードを有する。これら３つのモードは、ファインダ切替レバー２１の操作により切り替え可能である。以下、ハイブリッドモードについてのみ説明し、ＥＶＦモードとＯＶＦモードは第１実施形態と同様なので説明を省略する。
【００９２】
図１８に示すように、ＥＶＦＬＣＤ４２は、被写体表示エリア８０と、情報表示エリア８１と、被写体表示エリア８０より小さいサブ表示エリア８２が設定される。サブ表示エリア８２は、被写体表示エリア８０とは中心がずれた位置、例えば、右下に設定される。
【００９３】
ＥＶＦＬＣＤ４２は、ＥＶＦモードでは被写体画像が被写体表示エリア８０に表示されるが、ハイブリッドモードでは被写体画像がサブ表示エリア８２に表示される。ハイブリッドモードでは被写体表示エリア８０は非表示であり、情報表示エリア８１には情報画像が表示される。
【００９４】
図１９に示すように、ＥＶＦシャッタ４５には、被写体表示エリア８０に対応する第１エリア８３と、情報表示エリア８１に対応する第２エリア８４と、サブ表示エリア８２に対応する第３エリア８５とが設定される。
【００９５】
主制御部３２は、被写体表示エリア８０と第１エリア８３、情報表示エリア８１と第２エリア８４、及びサブ表示エリア８２と第３エリア８５の対応関係を把握している。第１エリア８３の光透過率は低透過率とされ、第２エリア８４及び第３エリア８５の光透過率は高透過率とされる。
【００９６】
第２表示制御部３８は、ＹＣ画像データ及び情報画像データに基づいて映像信号を生成する。具体的には、第２表示制御部３８は、ＥＶＦＬＣＤ４２の被写体表示エリア８０、情報表示エリア８１及びサブ表示エリア８２のエリア情報を把握しており、被写体表示エリア８０を非表示とし、情報表示エリア８１に情報画像を表示させ、サブ表示エリア８２に被写体画像を表示させる映像信号を生成する。
【００９７】
ＥＶＦＬＣＤ４２は、被写体表示エリア８０が表示されず黒色であり、情報表示エリア８１は情報画像が表示され、サブ表示エリア８２は被写体画像が表示される。このとき、ＥＶＦシャッタ４５の第１エリア８３が低透過率であり、第２エリア８４及び第３エリア８５が高透過率であるので、情報画像及び被写体画像がＥＶＦシャッタ４５を透過し、第２光路５０上を伝搬してハーフミラー４８によって反射されることにより、第３光路５１に導かれる。ＯＶＦシャッタ４４は「開状態」とされているため、光学像がＯＶＦシャッタ４４を透過し、第１光路４９上を伝搬してハーフミラー４８を透過することにより、第３光路５１に導かれる。この結果、図２０に示すように、光学像Ｐ１と情報画像Ｐ２と被写体画像Ｐ５とが重ね合わせられたハイブリッド画像Ｐ６がファインダ接眼部１６ｂに導かれる。
【００９８】
次に、ハイブリッドモードにおけるＯＶＦシャッタ４４及びＥＶＦシャッタ４５の設定処理を説明する。図２１に示すように、ハイブリッドモードであると判定された場合には（Ｓ５０でＹ）、ＯＶＦシャッタ４４が開状態とされる（Ｓ５１）。ＥＶＦシャッタ４５には、第１〜第３エリア８３〜８５が設定され、第１エリア８３は低透過率とされ、第２エリア８４及び第３エリア８５は高透過率とされる（Ｓ５２）。
【００９９】
この後、ＥＶＦＬＣＤ４２の被写体表示エリア８０は非表示とされ、情報表示エリア８１には情報画像が表示され、サブ表示エリア８２には被写体画像が表示される。この結果、前述のハイブリッド画像Ｐ６がファインダ接眼部１６ｂに導かれる。その後は、第１実施形態と同様である。
【０１００】
一方、ステップＳ５０でハイブリッドモードでないと判定された場合は、第１実施形態と同様のステップを辿るので、同じ符号を付して説明を省略する。
【０１０１】
以上のように、ハイブリッドモードでは、ハイブリッド画像中に光学像と被写体画像の両方が表示されるので、被写体の光学像を観察しながら実際に撮影で得られる画像を確認することができる。
【０１０２】
なお、第６実施形態のハイブリッドモード時においても、第２実施形態で説明したＡＦ枠６１を表示することができる。この場合、被写体表示エリア８０にＡＦ枠６１を表示させ、サブ表示エリア８２には、ＡＦ枠６１内の部分に相当する被写体画像を拡大表示させることが好ましい。これにより、サブ表示エリア８２に表示される画像で、フォーカスの確認を行うことができる。
【０１０３】
なお、上記実施形態では、図３に示すように、第１光路４９からハーフミラー４８を透過した光と、第２光路５０からハーフミラー４８により反射された光とが統合された光路を第３光路５１とし、この第３光路５１上にファインダ接眼部１６ｂを配置しているが、これとは逆に、第１光路４９からハーフミラー４８により反射された光と、第２光路５０からハーフミラー４８を透過した光とが統合された光路を第３光路とし、この第３光路上にファインダ接眼部１６ｂを配置してもよい。
【０１０４】
上記実施形態では、固体撮像素子３１は、ＣＭＯＳ型イメージセンサであるが、ＣＣＤ（Charge Coupled Device）型イメージセンサであってもよい。
【０１０５】
また、ＯＶＦシャッタ４４及びＥＶＦシャッタ４５は、液晶シャッタを用いているが、エレクトロ・クロミック（ＥＣ：Electro Chromic）シャッタを用いてもよい。また、液晶シャッタやＥＣシャッタのように電気的に光透過率を可変なシャッタ以外に、メカシャッタを用いることも可能である。
【０１０６】
なお、本発明は、デジタルカメラ以外に、ビデオカメラ、携帯電話機、スマートフォン等の撮影装置に適用可能である。
【符号の説明】
【０１０７】
１１、７０  デジタルカメラ
１６  ファインダ装置
１６ａ  ファインダ窓
１６ｂ  ファインダ接眼部
２１  ファインダ切替レバー
３１  固体撮像素子
３２  主制御部
３５  デジタル信号処理部
４２  ＥＶＦＬＣＤ（表示部）
４３  プリズム
４４  ＯＶＦシャッタ（光学シャッタ）
４５  ＥＶＦシャッタ（調光部）
４６、８０  被写体表示エリア
４７、８１  情報表示エリア
４８  ハーフミラー（光路統合部）
４９  第１光路
５０  第２光路
５１  第３光路
５２、８３  第１エリア
５２、８４  第２エリア
５５  バックライト
５６  液晶パネル
６０  画角枠（第１枠）
６１  ＡＦ枠（第２枠）
７１  照度検出部
８２  サブ表示エリア
８５  第３エリア
Ｐ１  光学像
Ｐ２  情報画像
Ｐ３  ＯＶＦ画像
Ｐ４  枠画像
Ｐ５  被写体画像
Ｐ６  ハイブリッド画像
【図１】
2015156187.tif 000003
【図２】
2015156187.tif 000004
【図３】
2015156187.tif 000005
【図４】
2015156187.tif 000006
【図５】
2015156187.tif 000007
【図６】
2015156187.tif 000008
【図７】
2015156187.tif 000009
【図８】
2015156187.tif 000010
【図９】
2015156187.tif 000011
【図１０】
2015156187.tif 000012
【図１１】
2015156187.tif 000013
【図１２】
2015156187.tif 000014
【図１３】
2015156187.tif 000015
【図１４】
2015156187.tif 000016
【図１５】
2015156187.tif 000017
【図１６】
2015156187.tif 000018
【図１７】
2015156187.tif 000019
【図１８】
2015156187.tif 000020
【図１９】
2015156187.tif 000021
【図２０】
2015156187.tif 000022
【図２１】
2015156187.tif 000023
【国際調査報告】
2015156187.tif 000024
2015156187.tif 000025
2015156187.tif 000026